(57)【特許請求の範囲】
【請求項１】
凹版印刷物において、
前記凹版印刷物は、複数本の凹版画線を有し、前記複数本の凹版画線のうち、少なくとも一本以上の凹版画線は、断面形状を変化させ、凹版画線の底部に対する上端部の幅方向位置は長さ方向に波状に変化するように形成されたことを特徴とする凹版印刷物。
【請求項２】
凹版版面において、
前記凹版版面は、複数本の凹部を有し、前記複数本の凹部のうち、少なくとも一本以上の凹部は、断面形状を変化させ、凹部の上端部に対する底部の幅方向位置は長さ方向に波状に変化するように形成されたことを特徴とする凹版版面。
【発明の詳細な説明】
【０００１】
【発明の属する技術分野】
本発明は、特殊形状の凹部を有する凹版版面及びその作製方法並びにそれを利用した複製防止効果を有する凹版印刷物に関するものである。
【０００２】
【従来の技術】
凹版印刷方式は、彫刻を施した凹版版面に凹版インキを塗布し、凹部の線の中に凹版インキが詰め込まれ、凹版版面の表面のインキを拭き取り凹部のインキのみを残し、紙の上から圧力を加えることによって紙が圧力によって版面の凹部に少し押し込まれ、凹部のインキが紙の表面に盛り上がった状態で印刷される。このようなインキが盛り上がった状態で紙に印刷されることによって、芸術性が求められる印刷物、偽造防止が求められる印刷物に利用されている。
【０００３】
版としては直刻凹版又は食刻凹版等があり、原版の製版方法としては手彫刻法による方法と機械彫刻による方法があり、金属版に彫刻する方法と、彫刻後化学腐蝕で仕上げる方法が一般的である。凹版版面は原版から転写法又は電鋳法によって作られる。
【０００４】
従来の凹版画線の形状の断面図を図１に示す。図１に示すように従来の凹版画線の形状は基材（１）に対して画線（Ｘ）は、四角形の形状、画線（Ｙ）は、三角形の形状、画線（Ｚ）は、楕円の形状であった。
【０００５】
よって、図２に示すように図１に示したそれぞれの画線を作製するための凹版版面の断面形状は、図１で示した画線（Ｘ）の版面はＸ’に示すような四角形の形状であり、画線（Ｙ）の版面はＹ’に示すような三角形の形状であり、画線（Ｚ）の版面はＺ’に示すよう楕円の形状となる必要があった。
【０００６】
上記図１に示す画線は、印刷分野で一般的に行われている腐食法で作製した凹版版面を用いて印刷することにより或いは金属加工において一般的に行われている腐食法で作製した版を用いてホットスタンプすることにより容易に得ることができる。このため、悪意で銀行券、株券、債権、商品券等の有価証券類、出入国証、登録証等の証書類及び重要書類等の印刷物又はＩＤカード類などを偽造或いは変造しようとする者が、容易にこれを真似することができるという難点があった。
【０００７】
このようなことから、一本一本の画線を複雑化した印刷物を得るための凹版版面の作製が望まれてきている。しかしながら、凹版版面を作製するにあたり、従来の腐食、ビュラン、機械彫刻では作成することが困難であった。
【０００８】
【発明が解決しようとする課題】
以上のことから、本発明は前述した問題点を解決することを目的としたもので、偽造或いは変造に対して、より効果が高くしかも容易に真似することのできない技術の開発及び複写機により複写されない画線の開発として、従来の凹版画線のインキの盛による優れた指感性や真偽判別効果だけではなく、凹版画線が立体である特徴を活かし、一本一本の画線形状を三次元的に複雑化することが望まれてきている。よって、一本一本の画線形状を三次元的に複雑化するためには、その画線を印刷するための凹版版面を作成する必要があった。
【０００９】
本発明は上記の問題点を鑑みてなされたもので、凹版版面において、凹版版面は、複数本の凹部を有し、複数本の凹部のうち、少なくとも一本以上の凹部は、凹部の深さ方向に伴い、凹部の幅が狭くなり、長さ方向は波状に変化するように構成した特殊形状の凹部を有する凹版版面で印刷した印刷物は複製防止効果を有する凹版印刷物になり得ることを見出した。
【００１０】
また、凹版版面の凹部は、レーザ彫刻法によって作製されたことによって上記記載の複雑な凹版版面の凹部を作製できることを見出した。本発明は上記記載の凹版版面及びその作製方法並びにそれを利用した凹版印刷物を提案するものである。
【００１１】
【課題を解決するための手段】
本発明は、凹版版面において、前記凹版版面は、複数本の凹部を有し、前記複数本の凹部のうち、少なくとも一本以上の凹部は、前記凹部の深さ方向に伴い、凹部の幅が狭くなり、長さ方向は波状に変化するように構成されたことを特徴とする凹版版面である。
【００１２】
また、本発明は、前記凹部の上端部にあたるインキ転移部の凹部の幅が一定で構成されていることを特徴とする凹版版面である。
【００１３】
また、本発明は、前記複数本の凹部で、文字、記号、数字、図柄、又は地紋模様を構成することを特徴とする凹版版面である。
【００１４】
また、本発明は、凹版版面の作製方法において、前記凹版版面を、レーザ彫刻機によって、複数本の凹部で形成し、前記複数本の凹部の内、少なくとも一本以上の凹部は、前記凹部の深さ方向に伴い、凹部の幅が狭くなり、長さ方向は波状に変化するように形成させることを特徴とする凹版版面の作製方法である。
【００１５】
また、本発明は、前記凹部の上端部にあたるインキ転移部の凹部の幅が一定であるように形成させることを特徴とする凹版版面の作製方法である。
【００１６】
また、本発明は、前記複数本の凹部で、文字、記号、数字、図柄、又は地紋模様を形成することを特徴とする凹版版面の作製方法である。
【００１７】
また、本発明は、前記凹版版面を用いて、凹版印刷機で印刷されたことを特徴とする凹版印刷物である。
【００１８】
【発明の実施の形態】
以下に、本発明に係る凹版版面及びその作製方法並びにそれを利用した凹版印刷物について図面を用いて説明する。また、本発明に係る凹版版面及びその作製方法並びにそれを利用した凹版印刷物は、本実施の形態に限定されるものではなく、本発明の係る特許請求の範囲に記載した技術事項の範囲内であれば、各種の態様を採用することができる。
【００１９】
図面によって本発明の凹版印刷物の一例を説明する。図３は、基材（１）の上に本発明の凸状画線（２）を形成させた、印刷物（Ｆ）である。図３に示すように凸状画線（２）は、凸状画線（２）の高さ方向（３）のインキの盛りが高くなるに伴い、画線幅（４）が狭くなり、長さ方向の画線形状は波状（５）に変化する凸状画線（２）で構成される。この場合、凸状画線の底部にあたるインキ転移部の画線幅（４’）が一定であるが、凸状画線の底部にあたるインキ転移部の画線幅（４’）は一定でなくても良い。また、画線の断面形状（６）は台形を有している。
【００２０】
図３で示した凹版画線を印刷するための凹版版面を図４に示す。凹版版面は、版材（７）に図３で示した凸状画線（２）となる凹部（１２）は凹部の深さ方向（９）が深くなるに伴い、凹部の幅（１０）が狭くなり、長さ方向の凹部形状は波状（１１）に変化する凹部で構成される。この場合、凹部の上端部にあたるインキ転移部の凹部の幅（１０’）が一定であるが、凹部の上端部にあたるインキ転移部の凹部の幅（１０’）が一定でなくても良い。また、破線で示した凹部の断面形状（６）は台形を有している。
【００２１】
図５（ａ）乃至図６（ｃ）に本発明の凸状画線のその他の形状について例を示す。図５（ａ）は、一定の画線高さ（Ｅ）の凸状画線（２）であり、インキ転移部である底部の画線幅（Ａ）と上端部の画線幅（Ｂ）がある特定の値をもち、長さ方向に波状に変化し、画線の上端部と底部をつなぐ側面部分（８）は、連続的な膨らんだ曲面を有し、凸状画線（２）の断面形状（１１）は図５（ａ）に示すように膨らんだ四角形状の場合の画線形状である。
【００２２】
図５（ｂ）は、一定の画線高さ（Ｅ）の凸状画線（２）であり、インキ転移部である底部の画線幅（Ａ）と上端部の画線幅（Ｂ）がある特定の値をもち、長さ方向に波状に変化し、画線の上端部と底部をつなぐ側面部分（８）は、連続的な凹んだ曲面を有し、凸状画線（２）の断面形状（１１）は図５（ｂ）に示すように凹んだ四角形状の場合の画線形状である。
【００２３】
図６（ａ）は、一定の画線高さ（Ｅ）の凸状画線（２）であり、インキ転移部である底部の画線幅（Ａ）がある特定の値をもち、その上端部が長さ方向に波状に変化し、画線の上端部と底部をつなぐ側面部分（８）は、連続的な直線を有し、凸状画線（２）の断面形状（１１）は図６（ａ）に示すとおり三角形状の場合の画線形状である。
【００２４】
図６（ｂ）は、一定の画線高さ（Ｅ）の凸状画線（２）であり、インキ転移部である底部の画線幅（Ａ）と上端部の画線幅（Ｂ）がある特定の値をもち、長さ方向に波状に変化し、画線の上端部と底部をつなぐ側面部分（８）は、連続的な膨らんだ曲面を有し、凸状画線（２）の断面形状（１１）は図６（ｂ）に示すとおり膨らんだ三角形状の場合の画線形状である。
【００２５】
図６（ｃ）は、一定の画線高さ（Ｅ）の凸状画線（２）であり、インキ転移部である底部の画線幅（Ａ）と上端部の画線幅（Ｂ）がある特定の値をもち、長さ方向に波状に変化し、画線の上端部と底部をつなぐ側面部分（８）は、連続的な凹んだ曲面を有し、凸状画線（２）の断面形状（１１）は図６（ｃ）に示すとおり凹んだ三角形状の場合の画線形状である。
【００２６】
図５（ａ）乃至図６（ｃ）に示した本発明の凸状画線の凹版版面の形状を図７（ａ）乃至図８（ｃ）に示す。図７（ａ）は、図５（ａ）の凹版版面であり、一定の深度（Ｅ’）の凹部（１２）であり、インキ転移部である凹部の上端部の幅（Ａ’）と底部の幅（Ｂ’）がある特定の値をもち、長さ方向に波状に変化し、凹部の上端部と底部をつなぐ側面部分（８）は、連続的な膨らんだ曲面を有し、凹部（１２）の断面形状（１１）は図７（ａ）に示すように膨らんだ四角形状の凹部形状である。
【００２７】
図７（ｂ）は、図５（ｂ）の凹版版面であり、一定の深度（Ｅ’）の凹部（１２）であり、インキ転移部である凹部の上端部の幅（Ａ’）と底部の幅（Ｂ’）がある特定の値をもち、長さ方向に波状に変化し、凹部の上端部と底部をつなぐ側面部分（８）は、連続的な凹んだ曲面を有し、凹部（１２）の断面形状（１１）は図７（ｂ）に示すように凹んだ四角形状の凹部形状である。
【００２８】
図８（ａ）は、図６（ａ）の凹版版面であり、一定の深度（Ｅ’）の凹部（１２）であり、インキ転移部である凹部の上端部の幅（Ａ’）がある特定の値をもち、その底部が長さ方向に波状に変化し、凹部の上端部と底部をつなぐ側面部分（８）は、連続的な直線を有し、凹部（１２）の断面形状（１１）は図８（ａ）に示すように三角形の凹部形状である。
【００２９】
図８（ｂ）は、図６（ｂ）の凹版版面であり、一定の深度（Ｅ’）の凹部（１２）であり、インキ転移部である凹部の上端部の幅（Ａ’）がある特定の値をもち、その底部が長さ方向に波状に変化し、凹部の上端部と底部をつなぐ側面部分（８）は、連続的な膨らんだ曲面を有し、凹部（１２）の断面形状（１１）は図８（ｂ）に示すように膨らんだ三角形状の凹部形状である。
【００３０】
図８（ｃ）は、図６（ｃ）の凹版版面であり、一定の深度（Ｅ’）の凹部（１２）であり、インキ転移部である凹部の上端部の幅（Ａ’）がある特定の値をもち、その底部が長さ方向に波状に変化し、凹部の上端部と底部をつなぐ側面部分（８）は、連続的な凹んだ曲面を有し、凹部（１２）の断面形状（１１）は図８（ｃ）に示すように凹んだ三角形状の凹部形状である。
【００３１】
また、図５（ａ）乃至図６（ｃ）の凸状画線（２）において、図９に示すように本発明の凸状画線（２）の凸表面の幅方向の画線幅（Ｂ）の１/２の幅とその振幅Ｃを加えた値が、凹版画線形状の都合上、画線の底部の幅（Ａ）と同じかそれよりも小さくする必要がある。本発明の凸状画線の凸表面の幅方向の画線幅（Ｂ）の１/２の幅とその振幅（Ｃ）を加えた値が、凹版画線形状の都合上、画線の底部の幅（Ａ）の１/２の幅より大きいと、インキ転移に支障が生じ、階調の優れた潜像模様が出現しにくくなり、本発明の効果を奏することができなくなる。
【００３２】
よって、凹版版面となる図７（a）乃至図８（ｃ）の凹部（１２）において、図１０に示すように本発明の凹部（１２）の底部の幅方向の幅（Ｂ’）の１/２の幅とその振幅（Ｃ’）を加えた値が、凹版画線形状の都合上、凹部（１２）の上端部の幅（Ａ’）と同じかそれよりも小さくする必要がある。本発明の凹部の底部の幅方向の幅（Ｂ’）の１/２の幅とその振幅（Ｃ’）を加えた値が、凹版画線形状の都合上、凹部の上端部の幅（Ａ’）の１/２の幅よりより大きいと、インキ転移に支障が生じ、階調の優れた潜像模様が出現しにくくなり、本発明の効果を奏することができなくなる。
【００３３】
本発明の凹版画線のインキの盛の高さは、印刷品質上問題がなければ特に限定されるわけではないが、印刷物の品質等から判断すると、前記凸状の画線の高さが５μｍ以上で３００μｍ以下であることが好ましい。本発明の凹版画線で、文字、記号、数字、図柄、地紋模様を構成する場合、底部にあたるインキ転移部の幅方向の画線幅が１０μｍ以上から６００μｍ以下であることが好ましい。底部にあたるインキ転移部の幅方向の画線幅が１０μｍ以下、もしくは６００μｍ以上である場合、また、画線の高さが５μｍ以下、もしくは３００μｍ以上では、本発明の凹版版面の作製が困難といえる。
【００３４】
本発明の凹版版面は、従来から印刷分野で一般的に行われているいわゆる腐食法で作製した凹版版面等では、連続する凸状の画線の一部の断面形状を周期的に変えることができないので困難である。また、ＮＣ彫刻機（数値制御彫刻機あるいは数値制御工作機）による画線の作製方法においても、彫刻バイトが版面材料へ直接接触し凹版画線の形状となる溝を加工するため、断面の形状がバイトの形状に大きく依存する。このため、画線の断面形状を変えるごとに、バイトの形状もその都度違うものに交換して加工しなければならず、作業性が低下してしまうとともに、バイト自体を作製するコストもかかってしまう。そこで、非接触で加工の自由度が高いレーザ加工機を用いて凹版版面を作製するのが好ましい。
【００３５】
本発明の印刷物は、一本一本の画線形状を三次元的に複雑化した特殊な形状を有しているため、偽造者が複製しようと思っても上記記載の画線形状を有した印刷物を作成しようと試みても容易に作製することができないため、偽造防止効果を有する貴重印刷物に利用できる。また、複写機により複写されない画線となるため、複写防止効果にも優れる。更に、凹版画線のインキの盛による優れた指感性や真偽判別効果だけではなく、画像を構成する凸状の画線の断面形状の周期的な変化、凸状の画線の表面状態及び凸状の画線を作製する材料の光学的性質によって、この凸状の画線に当たった光の反射状態が異なることを応用したもので、連続する凸状の画線の断面形状において、その上端部をインキ転移部である画線底部の幅方向に振幅させ、その断面形状を周期的に変形させて基材（媒体）上に作製した画像であり、本発明の連続する凸状の画線の上端部の幅、振幅、周期を変化させることにより、画線の上端部と底部をつなぐ側面部分において、当たった光が多く反射する部分が明るく見え、当たった光が少なく反射する部分は暗く見えるという明暗のパターンに変化が生じるため、凹版画線で階調を有する印刷物が得られ、真偽判別効果にも優れる印刷物が得られる。
【００３６】
本発明の凹版印刷物に用いる基材は、紙、プラスチック等、特に限定されるものではない。
【００３７】
本発明の凹版版面はエンボス版面としても利用できる。
【００３８】
本発明の凹版印刷物に用いる凹版インキは特に限定されないが、電子線硬化型、紫外線硬化型、酸化重合型、紫外線硬化型と酸化重合型の併用型等のインキが好ましい。
【００３９】
【実施例】
以下、実施例を用いて本発明を更に詳細に説明するが、本発明の内容は、これらの実施例の範囲に限定されるものではない。
【００４０】
（実施例１）
【００４１】
コンピュータ上で、作製した図１１に示す三次元の画線データ（Ｇ）を用い、レーザ彫刻で彫刻する凹部の深度（Ｅ’）に対し１回の彫刻で彫り下げることができる深さ（Ｊ）を設定し、（Ｊ）ごとに凹部の深さ方向の断面形状の層（Ｈ）を加工領域として抽出し、その抽出された加工領域の１層ごとに、レーザ光を走査線状に移動させて彫刻を行い、凹版原版を作製した。本発明の彫刻方向、彫刻回数は特に限定されるものではない。
【００４２】
得られた、原版を用いて凹版版面を作製し、通常の凹版インキによって凹版印刷機で基材に印刷した。得られた印刷物を図１２に示す。図１２は得られた印刷物に対して垂直方向から観察した場合の図である。
【００４３】
図１２の印刷物を傾けて観察すると図１３に示すように、画線表面に当たった光が多く反射する部分が明るく見え、当たった光が少なく反射する部分は暗く見えるという明暗のパターンに変化が生じ、観察者の目に入る光の反射状態に連続的な差異が生じるため、画線自体に階調を有しているように観察される。
【００４４】
本実施例１の印刷物を複写機（ＣＬＣ９００、キャノン社製）で複写し、複写した複写物を傾けて観察しても、画線自体に階調を有しているように観察されることはなかった。
【００４５】
【発明の効果】
本発明は、三次元的に複雑化した特殊な形状を有した凹版画線を作成するために、三次元的に複雑化した特殊形状の凹部を有する凹版版面が必要であり、レーザ彫刻によって容易に作製でき、凹版版面は、複数本の凹部を有し、複数本の凹部のうち、少なくとも一本以上の凹部は、凹部の深さ方向に伴い、凹部の幅が狭くなり、長さ方向は波状に変化するように構成した特殊形状の凹部を有する凹版版面で印刷した印刷物は複製防止効果を有する凹版印刷物となる。
【００４６】
本発明の印刷物は、一本一本の画線形状を三次元的に複雑化した特殊な形状を有しているため、偽造者が複製しようと思っても本発明の画線形状を有した印刷物を作成しようと試みても容易に作製することができないため、偽造防止効果を有する貴重印刷物に利用できる。また、複写機により複写されない画線となるため、複写防止効果にも優れる。更に、凹版画線のインキの盛による優れた指感性や真偽判別効果だけではなく、画像を構成する凸状の画線の断面形状の周期的な変化、凸状の画線の表面状態及び凸状の画線を作製する材料の光学的性質によって、この凸状の画線に当たった光の反射状態が異なることを応用したもので、連続する凸状の画線の断面形状において、その上端部をインキ転移部である画線底部の幅方向に振幅させ、その断面形状を周期的に変形させて基材（媒体）上に作製した画像であり、本発明の連続する凸状の画線の上端部の幅、振幅、周期を変化させることにより、画線の上端部と底部をつなぐ側面部分において、当たった光が多く反射する部分が明るく見え、当たった光が少なく反射する部分は暗く見えるという明暗のパターンに変化が生じるため、凹版画線で階調を有する印刷物が得られ、真偽判別効果にも優れる印刷物が得られる。
【００４７】
【図面の簡単な説明】
【図１】従来の凹版画線の形状を示す断面図である。
【図２】図１に示した凹版画線を印刷するための凹版版面を示す断面図である。
【図３】本発明の画線形状において、画線上端部がある特定の幅を有していない場合の寸法要素を示す図である。
【図４】図３に示した凹版画線の凹版版面を示す。
【図５】本発明の凹版画線の他の例を示す。
【図６】本発明の凹版画線の他の例を示す。
【図７】図５に示した凹版画線の凹版版面を示す。
【図８】図６に示した凹版画線の凹版版面を示す。
【図９】画線の上端部の波状変化の制限を示す。
【図１０】版面の底部の波状変化の制限を示す。
【図１１】コンピュータ上で作成したレーザ彫刻用画線データ、および彫刻方法を示す図である。
【図１２】本発明の画線を印刷した印刷物を真上から観察した図である。
【図１３】本発明の画線を印刷した印刷物を斜めから観察した図である。
【符号の説明】
１              基材
２              凸状画線
３              インキの高さ方向
４              画線幅
４’            インキ転移部の画線幅
５              波状
６              画線の断面形状
７              版材
８              上端部と底部をつなぐ側面部分
９              画線の深度方向
１０            凹部の幅
１０’          インキ転移部の凹部の幅
１１            波状
１２            版面の凹部
Ａ              画線底部の幅
Ｂ              画線上端部の幅
Ｃ              画線上端部の振幅
Ｄ              画線上端部の周期
Ｅ              彫刻される画線の深度
Ａ’            凹部の上端部の幅
Ｂ’            凹部の底部の幅
Ｃ’            凹部の底部の振幅
Ｄ’            凹部の底部の周期
Ｅ’            深度
Ｊ              レーザ彫刻機により、一回で彫刻される深度
Ｆ              印刷物
Ｇ              コンピュータ上で作成したレーザ彫刻データ
Ｈ              設定された彫刻深さＪごとの深さ方向の画線の断面形状
Ｘ，Ｙ、Ｚ      画線
Ｘ’、Ｙ’、Ｚ’  凹部
【図１】
0003695534.tif 000002
【図２】
0003695534.tif 000003
【図３】
0003695534.tif 000004
【図４】
0003695534.tif 000005
【図５】
0003695534.tif 000006
【図６】
0003695534.tif 000007
【図７】
0003695534.tif 000008
【図８】
0003695534.tif 000009
【図９】
0003695534.tif 000010
【図１０】
0003695534.tif 000011
【図１１】
0003695534.tif 000012
【図１２】
0003695534.tif 000013
【図１３】
0003695534.tif 000014